(57)【要約】【課題】容易に３種類及び２種類の試薬又は試料を互いに分離して保管できると共に、使用の際に容易に混合可能な試薬容器を実現する。【解決手段】順次、容器内側に挿入可能な３重容器構造（外側容器６、第１、第２内側容器２、１２）とすると共に内側容器２、１２の底面を薄膜５、１４とし、使用の際、第１、第２内側容器２、１２を外側容器６方向にスライドさせ、突起７により薄膜５、１４が破壊される構成とする。蓋１と外側容器６とのネジ切り部３、１７とが噛み合うように蓋１を回転させると、容器２、１２が容器６の底面方向にさらに進むと共に薄膜５、１４が突起７により円周方向に破壊され充填物８、４、１３の混合が確実に行われる。蓋１は第１内側容器２、１２に共通して使用可能であり、容易に３種類及び２種類の試薬又は試料を互いに分離して保管できると共に使用の際に容易に混合可能な試薬容器を実現できる。【選択図】      図１
2005313908.tif 000002
【特許請求の範囲】
【請求項１】
底面に薄膜破壊用突起が形成された外側容器と、
この外側容器の内径とほぼ同一の外径を有し、底面が薄膜で形成され、上部外周面に容器蓋回転支持用突起が形成された第１内側容器と、
上記第１内側容器の内径とほぼ同一の外径を有し、底面が薄膜で形成され、上部外周面に容器蓋回転支持用突起が形成された第２内側容器と、
内面側に、上記第１内側容器の容器蓋回転支持用突起及び上記第２内側容器の容器蓋回転支持用突起と接触し、上記第１及び第２内側容器を回転可能な蓋突起部が形成され、上記外側容器の外径より大の内径を有する蓋部材と、
を備え、上記外側容器に第１内側容器を挿入した状態、又は上記外側容器に第１の内側容器を挿入し、さらに第１内側容器に第２内側容器を挿入した状態で試薬又は試料を保管し、第１内側容器又は第１及び第２内側容器を、外側容器の底面方向に押圧して、第１内側容器の底面薄膜又は第１及び第２内側容器の底面薄膜を、外側容器に形成された薄膜破壊用突起により破壊して、上記蓋部材に形成された蓋突起部により、第１内側容器又は第１及び第２内側容器を回転することにより、第１内側容器の底面薄膜又は第１及び第２内側容器の底面薄膜が円周方向に切り裂き、試薬又は試料を混合することを特徴とする試薬容器。
【請求項２】
請求項１記載の試薬容器において、上記外側容器の容器の上部外周面には、ネジきり部が形成され、上記蓋部材の側壁内周面には、上記外側容器のネジきり部と噛み合うことができるネジきり部が形成されていることを特徴とする試薬容器。
【請求項３】
請求項１又は２記載の試薬容器において、上記第２内側容器の上部外面は、上記第１内側容器の外径とほぼ同一径を有するフランジ部が形成され、上記蓋部材の上部内面には、上記第１内側容器の外径とほぼ同一の内径を有する円筒状部材が形成され、この円筒状部材に、上記第１内側容器又は第２内側容器の上部が挿入され、蓋部材を固定可能であることを特徴とする試薬容器。
【発明の詳細な説明】
【技術分野】
【０００１】
本発明は、ＨＰＬＣ（高速液体クロマトグラフィ）やその他の分析装置に利用する試薬を保管する試薬容器に関し、特に、２液あるいはそれ以上の溶液等を混合して試薬を調製する作業に利用される試薬容器に関する。
【背景技術】
【０００２】
分析装置等に使用される、試薬の混合は、天秤あるいは容積計量器による計量を行った後に、実験室内の開放された環境にて混合調製を行っているのが通例である。この場合、試薬が、空気中の汚染物質の影響を受ける事があった。
【０００３】
空気中の汚染物質の試薬への混入を防止するためには、クリーンベンチや窒素気流中で作業を行う必要があり、特別な設備を必要とする他、作業者の熟練度も要求され、高コスト化を招いていた。
【０００４】
また、混合した溶液の安定性が低い場合、できるだけ試薬を調製した直後に利用することが必要となり、使用者の時間的制約が大きかった。
【０００５】
このため、特許文献１に記載された技術が開示されている。この特許文献１の技術においては、第１容器と、破断可能な破断底壁を有し、第１容器に接続可能な第２容器と、切断刃を有する第２容器の蓋部材（ねじ込み式）とが備えられている。
【０００６】
そして、第１容器に試薬を収容し、他の試薬は収容された第２容器を第１容器の蓋部材を兼ねた状態で接続され、この第２容器に上記蓋部材が固定され、２種類の試薬が密閉された状態で保管が可能となっている。
【０００７】
第１及び第２容器に保管された試薬の使用に際しては、第２容器の蓋部材を回すことにより、第２容器内部の切断刃が破断底壁を破断し、第２容器に収容された試薬と第１容器に収容された試薬とが混合される。
【０００８】
このように、特許文献１記載の容器は、二種類の試薬を密封保管して、使用直前に混合することができるので、クリーンベンチや窒素気流は不要であり、特別な施設、作業者の熟練度も不要となっている。
【０００９】
【特許文献１】特開平８−７２９２１号公報
【発明の開示】
【発明が解決しようとする課題】
【００１０】
しかしながら、上記特許文献１に記載された試薬容器にあっては、二種類の試薬の保管及び混合は可能であるが、３種類の試薬の保管及び混合はできない。
【００１１】
上記特許文献１に記載された試薬容器について、３種類の試薬の保管を可能にしようとすると、第２容器に試薬を収容した後、その上から新たな破断底壁を形成し、その後、第２容器に新たな試薬を収容しなければならず、その作業は困難である。
【００１２】
本発明の目的は、容易に３種類及び２種類の試薬又は試料を互いに分離して保管できると共に、使用の際に容易に混合可能な試薬容器を実現することである。
【課題を解決するための手段】
【００１３】
上記目的を達成するため、本発明は次のように構成される。  
（１）底面に薄膜破壊用突起が形成された外側容器と、この外側容器の内径とほぼ同一の外径を有し、底面が薄膜で形成され、上部外周面に容器蓋回転支持用突起が形成された第１内側容器と、上記第１内側容器の内径とほぼ同一の外径を有し、底面が薄膜で形成され、上部外周面に容器蓋回転支持用突起が形成された第２内側容器と、内面側に、上記第１内側容器の容器蓋回転支持用突起及び上記第２内側容器の容器蓋回転支持用突起と接触し、上記第１及び第２内側容器を回転可能な蓋突起部が形成され、上記外側容器の外径より大の内径を有する蓋部材と、を備え、上記外側容器に第１内側容器を挿入した状態、又は上記外側容器に第１の内側容器を挿入し、さらに第１内側容器に第２内側容器を挿入した状態で試薬又は試料を保管し、第１内側容器又は第１及び第２内側容器を、外側容器の底面方向に押圧して、第１内側容器の底面薄膜又は第１及び第２内側容器の底面薄膜を、外側容器に形成された薄膜破壊用突起により破壊して、上記蓋部材に形成された蓋突起部により、第１内側容器又は第１及び第２内側容器を回転することにより、第１内側容器の底面薄膜又は第１及び第２内側容器の底面薄膜が円周方向に切り裂き、試薬又は試料を混合する。
【００１４】
（２）好ましくは、上記（１）において、上記外側容器の容器の上部外周面には、ネジきり部が形成され、上記蓋部材の側壁内周面には、上記外側容器のネジきり部と噛み合うことができるネジきり部が形成されている。
【００１５】
（３）また、好ましくは、上記（１）又は（２）において、上記第２内側容器の上部外面は、上記第１内側容器の外径とほぼ同一径を有するフランジ部が形成され、上記蓋部材の上部内面には、上記第１内側容器の外径とほぼ同一の内径を有する円筒状部材が形成され、この円筒状部材に、上記第１内側容器又は第２内側容器の上部が挿入され、蓋部材を固定可能である。
【発明の効果】
【００１６】
本発明によれば、容易に３種類及び２種類の試薬又は試料を互いに分離して保管できると共に、使用の際に容易に混合可能な試薬容器を実現することができる。
【発明を実施するための最良の形態】
【００１７】
以下、本発明の実施形態を添付図面を参照して説明する。  
図１は、本発明の一実施形態である試料容器の概略断面図である。
【００１８】
図１において、合成樹脂からなる外側容器６の内側底部には、鋭利な、薄膜破壊用突起７が形成されている。この薄膜破壊用突起７は、外側容器６の内側底部の中心から離間した位置に形成されている。また、この外側容器６の上部外周面には、ネジきり部３が形成されており、このネジきり部３は後述する蓋１のネジきり部１７と互いにネジ止め可能となっている。
【００１９】
また、合成樹脂からなる第１の内側容器２の外径は、外側容器６の内径とほぼ同一の値となっており、外側容器６に挿入可能であるが、外側容器６への挿入及び離脱には一定以上の力が必要であり、容器の転倒等では容易に抜けないように構成されている。また、この第１の内側容器２の上部外周面には、容器蓋回転支持用突起１０が形成されている。また、この第１の内側容器２の底面は、薄膜５により形成されている。
【００２０】
また、合成樹脂からなる第２の内側容器１２の外径は、第１の内側容器２の内径とほぼ同一の値となっており、第１の内側容器２に挿入可能であるが、第１の内側容器２への挿入及び離脱には一定以上の力が必要であり、容器の転倒等では容易に抜けないように構成されている。また、この第２の内側容器１２の上部外周面には、容器蓋回転支持用突起１６が形成されている。この第２の内側容器１２の上部外径は、第１の内側容器の外形と同一となるようにフランジ状となっている。また、この第２の内側容器１２の底面は、薄膜１４により形成されている。
【００２１】
合成樹脂からなる蓋１の内周側面には、蓋ネジきり部１７が形成されており、このネジきり部１７は、上述したように、ネジきり部３と互いにネジ止め可能となっている。また、蓋１の上部内周面には、円筒状の蓋突起部９が形成されている。この蓋突起部９の内径は、第２の内側容器１２の上記フランジ状部の外径及び第１の内側容器２の外径とほぼ同一の径となっており、第１の内側容器２及び第２の内側容器１２への挿入及び離脱には一定以上の力が必要であり、容器の転倒等では容易に抜けないように構成されている。蓋１の内径は、外側容器６の外径より大となっている。
【００２２】
また、図２に示すように、蓋１の蓋突起部９には、切り欠き１５が形成されており、この切り欠き１５に、第１の内側容器２の突起１０及び第２の内側容器１２の突起１６が挿入可能となっている。
【００２３】
上述したような、構成において、充填物（固体又は液体）８が収容された外側容器８に、充填物（固体又は液体）４が収容された第１の内側容器２が挿入される。このとき、容器２の薄膜５は、薄膜破壊用突起７に達するまでは、容器２は容器６に挿入されない。
【００２４】
また、充填物４が収容された第１の内側容器２に、充填物（固体又は液体）１３が収容された第２の内側容器１２が挿入される。そして、第２の容器１２の上部に、蓋１の蓋突起部９が固定される。このとき、蓋突起部９の切り欠き１５に、容器１２の突起１６が挿入される。
【００２５】
このようにして、３つの試薬等の充填物８、４、１３が互いに分離されて密閉保管可能となっている。
【００２６】
次に、互いに分離されて保管された充填物８、４、１３を混合し、使用する場合の手順について説明する。  
蓋１を外側容器６の方向に押し付けることにより、第１の内側容器２が外側容器６の底面方向に移動され、薄膜５が突起７により破壊される。さらに、蓋１を外側容器６の方向に押し付けることにより、第２の内側容器１２が外側容器６の底面方向に移動され、薄膜１４が突起７により破壊される。これにより、充填物８、４、１３が互いに混合される。
【００２７】
そして、蓋１のネジきり部１７が外側容器６のネジきり部３に到達する。このとき、蓋突起部９の切り欠き部１５に第１の内側容器２の突起１０が挿入されている。そして、蓋１を一方向に回転すると、ネジきり部１７と３とが噛み合い、蓋１、第１及び第２の内側容器２、１２が回転すると共に、容器６の底面方向に進行する。
【００２８】
これにより、薄膜５及び１４は、突起７により、円周方向に切り裂かれていき、充填物８、４、１３が、密閉された状態で確実に混合される。
【００２９】
次に、蓋１を他方向に回転すると、蓋１、第１及び第２の内側容器２、１２が回転すると共に、容器６の底面から離間する方向に進行する。そして、ネジきり部３と１７とが離間すると、蓋１を容器６から、さらに離間させることにより、蓋１、第１及び第２の内側容器２、１２が、外側容器６から完全に離脱する。このとき、充填物８、４、１３は、互いに混合された状態で容器６に収容されている。そして、この容器６に収容された混合充剤を使用することができる。
【００３０】
なお、上述した例は、充填物８、４、１３を互いに分離した状態で密閉保管する例であるが、充填物８、４、１３を上述したようにして、混合した後、密閉保管することも可能である。
【００３１】
本発明の一実施形態である試薬容器は、３種類の試薬等を分離して密閉保管し、その後、混合可能であるが、２種類の試薬等を分離して密閉保管し、その後、混合することも可能である。
【００３２】
つまり、図３に示すように、充填物８が収容された外側容器６に、充填物４が収容された第１内側容器２を挿入する。そして、第１内側容器２に、蓋１を固定する。上述したように、蓋１の蓋突起部９の内径は、第１内側容器２の外径とほぼ同一の径となっており、第１内側容器２への挿入及び離脱には一定以上の力が必要であり、容器の転倒等では容易に抜けないように構成されている。
【００３３】
そして、充填物８と４との混合時には、蓋１と第１内側容器２とを外側容器６方向に押し下げて、突起７により、薄膜５を破壊する。蓋１を回転することにより、蓋１と容器６とのネジ切り部３及び１７が噛み合い、容器２が容器６の底面方向にさらに進むと共に、容器２が容器６に対して回転し、薄膜５が突起７により円周方向に破壊されていく。これにより、確実に充填物８と４とが混合されるように構成されている。
【００３４】
以上のように、本発明の一実施形態によれば、試薬容器を、順次、容器内側に挿入可能な、３重容器構造とすると共に、挿入される２つの内側容器の底面を薄膜５、１４とし、使用に際しては、第１及び第２内側容器を外側容器方向にスライドさせて、突起７により薄膜５、１４が破壊される構成としている。さらに、蓋１と外側容器６とのネジ切り部３、１７とが噛み合うように、蓋１を回転させることにより、容器２及び１２が容器６の底面方向にさらに進むと共に、薄膜５及び１４が突起７により円周方向に破壊され、充填物の混合が確実に行われる。
【００３５】
また、蓋１は、第１内側容器２及び第２内側容器１２に共通して使用可能となっている。
【００３６】
したがって、容易に３種類及び２種類の試薬又は試料を互いに分離して保管できると共に、使用の際に容易に混合可能な試薬容器を実現することができる。
【００３７】
また、空気中に存在する汚染物質の流入を極力遮断すること、および利用者の試薬調製の手間を省き、調合ミスによる事故防止を図ることも可能である。
【００３８】
なお、薄膜５、１４は、薄い合成樹脂のフイルム、あるいはアルミニウム箔などの金属薄膜であってもよい。
【００３９】
なお、上述した例においては、蓋１を容器２又は１２に固定して、試薬を保管する例であるが、図４に示すように、容器２又は１２に予め目的成分が収容されており、容器２又は１２の上部に合成樹脂フイルムあるいはアルミニウム箔などでできた薄膜１１を張っている場合には、試薬等の保存時には、蓋を使用しなくともよい。混合時にのみ、蓋を使用することとことができる。
【００４０】
この場合、蓋１は、図２に示した構成のものも使用可能であるが、図５に示すように、蓋突起部９は形成されている必要はなく、容器２、１２の回転支持用突起１０、１６に接触して容器２、１２を回転させるための突起１８が、蓋１の内面側に形成されていればよい。
【００４１】
なお、本発明は、試薬と試薬との保管及び混合のみならず、試薬と試料との保管及び混合にも適用することができる。
【００４２】
また、上述した例においては、外側容器６と蓋１とに、ネジきり部３及び１７を形成したが、これらネジきり部３、１７は必ずしも必要ではなく、省略することも可能である。
【図面の簡単な説明】
【００４３】
【図１】本発明の一実施形態である試薬容器の概略断面図である。
【図２】図１に示した試薬容器の蓋部分の概略斜視図である。
【図３】２種類の試薬の保管に使用する場合の説明図である。
【図４】試薬の保管に蓋を使用しなくてもよい場合の説明図である。
【図５】図４に示す例の場合に使用可能な蓋の概略斜視図である。
【符号の説明】
【００４４】
１              蓋
２              第１内側容器
３              外側容器ネジきり部
４、８、１３    充填物（試薬）
５、１４        薄膜
６              外側容器
７              薄膜破壊用突起
９              蓋突起部
１０、１６      容器蓋回転支持用突起
１１            薄膜
１２            第２内側容器
１５            切り欠き
１７            蓋ネジきり部
１８            突起
【図１】
2005313908.tif 000003
【図２】
2005313908.tif 000004
【図３】
2005313908.tif 000005
【図４】
2005313908.tif 000006
【図５】
2005313908.tif 000007